(57)【特許請求の範囲】
【請求項１】
外部マイクが接続可能な外部接続コネクタと、
前記外部接続コネクタが配置される第１の面と対向する第２の面に配置される操作部材と、
上面に目盛が表示され、前記第１の面および前記第２の面とは異なる第３の面に配置されるダイアル部材と、
前記操作部材を露出させる開状態と、前記操作部材を覆う閉状態になるカバー部材とを有し、
前記ダイアル部材は、前記ダイアル部材の側面が前記第２の面に露出し、前記ダイアル部材の上面が前記第３の面に露出するように、前記第３の面に配置され、
前記カバー部材を前記閉状態とすると、前記カバー部材は前記ダイアル部材の上面を覆うことなく、前記ダイアル部材の側面を覆うことを特徴とする撮像装置。
【請求項２】
前記ダイアル部材は、前記ダイアル部材の上面の高さが、前記ダイアル部材の周囲の高さよりも低くなるように、前記第３の面に配置されていることを特徴とする請求項１に記載の撮像装置。
【請求項３】
前記ダイアル部材の側面には凹凸形状が形成され、前記カバー部材には前記カバー部材を閉じ状態としたときに、前記ダイアル部材の凹凸形状に噛み合う部分が形成されることを特徴とする請求項１または２に記載の撮像装置。
【請求項４】
前記ダイアル部材は前記外部接続コネクタに接続される前記外部マイクによる録音レベルを調節するダイアル部材であることを特徴とする請求項１ないし３の何れか１項に記載の撮像装置。
【請求項５】
前記撮像装置は前記撮像装置の上面に前記撮像装置の前後方向に延びるハンドルが形成され、前記外部接続コネクタ、前記操作部材および前記ダイアル部材は前記ハンドルの前方端に配置されることを特徴とする請求項１ないし４のいずれか１項に記載の撮像装置。
【発明の詳細な説明】
【技術分野】
【０００１】
本発明は、デジタルカメラなどの撮像装置に関し、特に操作部材を覆うカバー部材を備える撮像装置に関するものである。
【背景技術】
【０００２】
従来、撮像装置の外観面に露出したオーディオラインやマイクの信号レベルを調節するレベル操作部を操作することで、音声記録の設定および調整を行うことが知られている。（特許文献１参照）
【先行技術文献】
【特許文献】
【０００３】
【特許文献１】特開２００１−１８９８８３号公報
【発明の概要】
【発明が解決しようとする課題】
【０００４】
しかしながら、特許文献１に開示されている撮像装置では、レベル操作部が外観面に露出しているので、撮像装置の使用時などに、レベル操作部が何かに触れてしまうことで、音声記録の設定および調整が意図せず変わってしまうことがある。
【０００５】
このようなことを防止するために、回動することで開閉するカバー部材で、操作部材を覆うことが知られている。しかし、操作部材をカバー部材で覆う場合には、操作部材が覆われてしまうことで、現在の設定値がわかりにくくなってしまうという課題がある。また、広い面積をカバー部材で覆う場合には、撮像装置の大型化を招いてしまうという課題もある。
【０００６】
本発明の目的は、操作部材をカバー部材で覆ったとしても、現在の設定値がわかりやすく、かつ、撮像装置の大型化を招くことがない撮像装置を提供することにある。
【課題を解決するための手段】
【０００７】
本発明の撮像装置は、外部マイクが接続可能な外部接続コネクタと、前記外部接続コネクタが配置される第１の面と対向する第２の面に配置される操作部材と、上面に目盛が表示され、前記第１の面および前記第２の面とは異なる第３の面に配置されるダイアル部材と、前記操作部材を露出させる開状態と、前記操作部材を覆う閉状態になるカバー部材とを有し、前記ダイアル部材は、前記ダイアル部材の側面が前記第２の面に露出し、前記ダイアル部材の上面が前記第３の面に露出するように、前記第３の面に配置され、前記カバー部材を前記閉状態とすると、前記カバー部材は前記ダイアル部材の上面を覆うことなく、前記ダイアル部材の側面を覆うことを特徴とする。
【発明の効果】
【０００８】
本発明によれば、カバー部材を閉状態としても、カバー部材がダイアル部材の目盛を覆うことなく、ダイアル部材の誤操作を防止することができる。また、カバー部材を閉状態としても、カバー部材はダイアル部材の側面を覆うだけであるので、撮像装置の大型化を招くことがない。
【図面の簡単な説明】
【０００９】
【図１】本発明を実施した撮像装置としてのビデオカメラの外観図である。
【図２】回転操作リング１０２の構成を説明する図である。
【図３】本実施形態のビデオカメラに外部マイク５０１を装着した状態を説明する図である。
【図４】本実施形態のビデオカメラの正面図である。
【図５】アクセサリーシュー６０１にビデオライト７００を取り付けた状態を説明する図である。
【図６】オーディオ部２０５の左側面に配置されるカバー部材８０２を回動させて開放した状態を説明する図である。
【図７】ダイアル部材８０３ａの外観を説明する図である。
【図８】オーディオ部２０５の内部の構成を表わす斜視図である。
【図９】オーディオ部２０５の外観斜視図である。
【図１０】カバー部材８０２の取り付け構造を説明する分解斜視図である。
【図１１】カバー部材８０２の回動中心Ｃを説明する図である。
【図１２】カバー部材８０２の形状を説明する図である。
【図１３】カバー部材８０２を取り付けた状態を説明する斜視図である。
【図１４】板バネ１２０３ａとカム部８０２ｃの関係を説明する図である。
【図１５】外装部材１２０１を外した状態を説明する側面図である。
【図１６】シャフト１７０１の外観を説明する斜視図である。
【図１７】外装部材１２０１とクッション部材１９０１の取り付け構造を説明する分解図である。
【図１８】カバー部材８０２の開動作を説明する図である。
【図１９】カバー部材８０２の開動作を説明する図である。
【図２０】カバー部材８０２を交換する際の手順を説明する図である。
【図２１】カバー部材８０２を交換する際の手順を説明する図である。
【発明を実施するための形態】
【００１０】
図１（ａ）〜（ｃ）は、本発明を実施した撮像装置としてのビデオカメラの外観図である。本実施形態のビデオカメラは撮影レンズ１０１を有し、撮影レンズ１０１の外周には回転操作リング１０２が設けられている。図１（ａ）に示すように、本実施形態では、撮影レンズ１０１の光軸前方を前、撮影レンズ１０１の光軸後方を後ろと定義する。また、ビデオカメラを撮影レンズ１０１の光軸後方から見たときに右になる方向を右、ビデオカメラを撮影レンズ１０１の光軸後方から見たときに左になる方向を左と定義する。そして、ビデオカメラを図１（ａ）に示す向きとしたときに上となる方向を上、下となる方向を下と定義する。したがって、図１（ａ）はビデオカメラを右斜め前方から見た斜視図となる。
【００１１】
図１（ａ）にて、輸送時や、撮影時にビデオカメラを把持するハンドル２０２は撮影レンズ１０１の上方で前後方向に延びて形成されている。
【００１２】
ハンドル２０２の前方端は、ハンドル中央の把持部より大きく形成され、被写体の内蔵マイク１０３ａ，１０３ｂなどが配設されるオーディオ部２０５となっている。内蔵マイク１０３ａ，１０３ｂは、撮影時に出来るだけ被写体に近い位置となるように、オーディオ部２０５の前面であり、撮像レンズ１０１の光入射面より前面に突出させている。
【００１３】
オーディオ部２０５の前面には内蔵マイク１０３ａ，１０３ｂが配置され、オーディオ部２０５の右側面には外部マイクが接続可能なＸＬＲ型の外部接続コネクタ１０４ａ，１０４ｂが前後方向に並んで配置される。外部接続コネクタ１０４ａ，１０４ｂの近傍には外部マイクを保持するマイクホルダー５０３が取り付けられている。さらに、オーディオ部２０５の近傍にはアクセサリーシュー６０１が配置されている。
【００１４】
図１（ｂ）はビデオカメラを左斜め後方から見た斜視図となる。図１（ｃ）はビデオカメラを左斜め前方から見た斜視図となる。図１（ｂ），（ｃ）に示すように、ビデオカメラの左側には開閉可能な画像表示モニタ２０１が設けられている。図１（ｂ）は画像表示モニタ２０１を開いた状態を示し、図１（ｃ）は画像表示モニタ２０１を閉じた状態を示している。図１（ｂ），（ｃ）に図示するように、ハンドル２０２の上面には、撮影の開始、終了の制御を行うトリガーキー２０３と、撮像光学系１０１のズーム倍率などを変更するズームキー２０４が配置されている。
【００１５】
オーディオ部２０５の左側面には、カバー部材８０２が設けられている。カバー部材８０２はオーディオ部２０５に対して回動可能に取り付けられる。カバー部材８０２を回動することで音声記録操作部としてのスイッチ群８０１ａ，８０１ｂを覆う閉状態と、音声記録操作部を露出させる開状態となる。また、オーディオ部２０５の上面には、録音レベルを調節するためのダイアル部材８０３ａ，８０３ｂが配置されている。
【００１６】
内蔵マイク１０３ａ，１０３ｂによる録音を行う場合には、ダイアル部材８０３ａを回転することで、内蔵マイク１０３ａの録音レベルが調節され、ダイアル部材８０３ｂを回転することで、内蔵マイク１０３ｂの録音レベルが調節される。また、外部マイクによる録音を行う場合には、ダイアル部材８０３ａを回転することで、外部接続コネクタ１０４ａに接続した外部マイクの録音レベルが調節される。同様に、ダイアル部材８０３ｂを回転することで、外部接続コネクタ１０４ｂに接続した外部マイクの録音レベルが調節される。
【００１７】
図２は、回転操作リング１０２の構成を説明する図である。回転操作リング１０２の表面はゴムなどの弾性部材１０２ａで構成され、回転操作リング１０２の内側には歯車１０２ｂが構成されている。回転操作リング１０２の操作面である表面をゴムなどの弾性部材１０２ａで構成することによって、操作時に指が滑ることなく、正確な操作を行うことができる。回転操作リング１０２の内側に形成した歯車１０２ｂは、回転操作リング１０２と撮像レンズ１０１との間に配置されるパルスエンコーダと連結されている。
【００１８】
したがって、回転操作リング１０２を回転操作することで、パルスエンコーダが回転して信号を出力する。本実施形態のビデオカメラは、パルスエンコーダからの出力によって、撮像レンズ１０１のフォーカス駆動を行うことが出来る。すなわち、ユーザは、回転操作リング１０２の操作を行うことで、マニュアルフォーカスによる撮影を行うことが出来る。
【００１９】
本実施形態のビデオカメラのように、回転操作リング１０２を、撮像レンズ１０１の外周に設けることで、直感的に撮像レンズ１０１のフォーカス操作を行うことが出来るため、使い勝手のよいビデオカメラの提供が可能となる。
【００２０】
図３は本実施形態のビデオカメラに外部マイク５０１を装着した状態を説明する図である。外部マイク５０１はマイクホルダー５０３に固定され、プラグ５０２ａが外部接続コネクタ１０４ａに接続される。このとき、外部マイク５０１による録音を行う場合には、ダイアル部材８０３ａを回転することで、外部マイク５０１の録音レベルを調節することができる。
【００２１】
外部接続コネクタ１０４ａにプラグ５０２ａを挿入することで、外部接続コネクタ１０４ａ内部にある係合爪と、プラグ５０２ａ内部の凹部が係合する。これによって、輸送時や撮影中に、プラグ５０２ａが外部接続コネクタ１０４ａから不容易に外れないような構成となっている。
【００２２】
プラグ５０２ａと外部接続コネクタ１０４ａとの係合を解除する際には、外部接続コネクタ１０４ａの下方端に設けられている接続解除ノブ１０４ａ１を、図１（ａ）における左方向に押し込む。これによって、プラグ５０２ａと外部接続コネクタ１０４ａとの係合が解除され、プラグ５０２ａを外部接続コネクタ１０４ａから引き抜くことが出来る。また、図３では、不図示の外部マイクがプラグ５０２ｂを有し、プラグ５０２ｂが外部接続コネクタ１０４ｂに接続されている。
【００２３】
本実施形態のビデオカメラでは、接続解除ノブ１０４ａ１，１０４ｂ１が外部接続コネクタ１０４ａ，１０４ｂの下側となるように配置している。接続解除ノブ１０４ａ１，１０４ｂ１が外部接続コネクタ１０４ａ，１０４ｂの上側に配置する場合には、接続解除ノブを操作する際に、外部マイクホルダー５０３が邪魔になり、接続解除ノブを操作しにくくなってしまう。本実施形態では、外部接続コネクタ１０４ａ，１０４ｂの下側に接続解除ノブ１０４ａ１，１０４ｂ１を配置しているので、外部マイクホルダー５０３が接続解除ノブ１０４ａ１，１０４ｂ１の操作を邪魔することはない。
【００２４】
図４は本実施形態のビデオカメラの正面図である。図４にて、Ａは撮影レンズの光軸を中心とする仮想円で、撮影者が回転操作リング１０２を操作する際に撮影者の手が位置することが想定される範囲である。接続解除ノブ１０４ａ１はオーディオ部２０５の側面から下方にはみ出すように配置しているが、仮想円Ａの範囲に入らないように配置している。したがって、回転操作リング１０２の操作時に、撮影者の指が外接続解除ノブ１０４ａ１に接触することはない。
【００２５】
図４にて、Ｂは外部マイクホルダー５０３の取り付け面を意味している。アクセサリーシュー６０１上面は、外部マイクホルダーの取り付け面Ｂと同じ高さか、わずかに高く設定されている。
【００２６】
図５はアクセサリーシュー６０１にビデオライト７００を取り付けた状態を説明する図である。上述したように、アクセサリーシュー６０１上面が外部マイクホルダー５０３の取り付け面Ｂと同じ高さか、わずかに高く設定されているので、アクセサリ取り付けリング７０１が外部マイクホルダー５０３の取り付け面Ｂより高い位置となる。
これによって、アクセサリ取り付けリング７０１を回転させる際にマイクホルダー５０３の取り付け部が邪魔になることはない。
【００２７】
図６はオーディオ部２０５の左側面に配置されるカバー部材８０２を回動させて開放した状態を説明する図である。図６に示すように、カバー部材８０２を開状態とすると、外部接続コネクタ１０４ａ，１０４ｂが配置される面と対向する面となるであるオーディオ部２０５の左側面には、音声記録に関する操作部材が設けられている。
【００２８】
具体的には、外部マイクからの入力と内蔵マイク１０３ａ，１３０ｂからの入力との切り換え、外部マイクへの電圧印加の有無、録音レベル調整のオートとマニュアルの切り換えを行うことができる。スイッチ群８０１ａを操作することで、内蔵マイク１０３ａまたは外部接続コネクタ１０４ａに接続される外部マイクに対してこれらの設定を行うことができる。同様に、スイッチ群８０１ｂを操作することで、内蔵マイク１０３ｂまたは外部接続コネクタ１０４ｂに接続される外部マイクに対してこれらの設定を行うことができる。
【００２９】
スイッチ群８０１ａは外部接続コネクタ１０４ａが配置される位置に対向する位置に配置され、スイッチ群８０１ｂは外部接続コネクタ１０４ｂが配置される位置に対向する位置に配置されている。すなわち、外部接続コネクタ１０４ａ，１０４ｂをビデオカメラの前後方向に並べるとともに、スイッチ群８０１ａ，８０１ｂも外部接続コネクタ１０４ａ，１０４ｂ並び方向に対応させてビデオカメラの前後方向に並べている。同様に、ダイアル部材８０３ａ，８０３ｂも外部接続コネクタ１０４ａ，１０４ｂ並び方向に対応させてビデオカメラの前後方向に並べている。これにより、外部接続コネクタとそれに対応するスイッチ群およびダイアル部材が直感的にわかるようになっている。
【００３０】
図１（ｂ），（ｃ）に示すように、カバー部材８０２を閉状態とすることで、スイッチ群８０１ａ，８０１ｂは完全に覆われ、スイッチ群８０１ａ，８０１ｂを操作することはできなくなる。また、カバー部材８０２を開状態とすると、ダイアル部材８０３ａ，８０３ｂの側面を露出させる状態となり、カバー部材８０２を閉状態とすると、カバー部材８０２がダイアル部材８０３ａ，８０３ｂの側面を覆う状態となる。
【００３１】
上述したように、ダイアル部材８０３ａ，８０３ｂはオーディオ部２０５の上面に配置されている。また、ダイアル部材８０３ａ，８０３ｂの上面の高さが、オーディオ部２０５の上面の高さよりも低くなるように配置されているので、ダイアル部材８０３ａ，８０３ｂの側面はオーディオ部２０５とカバー部材８０２に覆われている。具体的には、ダイアル部材８０３ａ，８０３ｂの側面のうち、約２５０°をオーディオ部２０５に囲われ、残りの約１１０°をカバー部材８０２に囲われている。
【００３２】
図７はダイアル部材８０３ａの外観を説明する図である。なお、ダイアル部材８０３ｂもダイアル部材８０３ａと同一形状である。ダイアル部材８０３ａの上面にはレベル目盛が表示されているが、操作つまみなどは形成されていない。ダイアル部材８０３ａの側面８０３ａ１には凹凸形状としてのローレット形状が形成されている。
【００３３】
したがって、カバー部材８０２を閉状態とすると、カバー部材８０２のカバー部８０２ｅ，８０２ｆがダイアル部材８０３ａ，８０３ｂの側面を覆って、ダイアル部材８０３ａ，８０３ｂを回転操作することができなくなる。ダイアル部材８０３ａ，８０３ｂを回転操作するためには、カバー部材８０２を開状態として、ダイアル部材８０３ａ，８０３ｂの側面を露出させなくてはならない。
【００３４】
カバー部材８０２を閉状態としても、ダイアル部材８０３ａ，８０３ｂの上面は露出した状態となっているので、録音レベルの設定値はカバー部材８０２の開閉状態に関わらず、視認することができる。
【００３５】
カバー部材８０２のカバー部８０２ｅ，８０２ｆは、カバー部材８０２の端から延出して形成されるので、カバー部材８０２を開閉操作する際の指掛かりとして機能する。なお、カバー部材８０２のカバー部８０２ｅ，８０２ｆにダイアル部材８０３ａ，８０３ｂの側面に形成したローレット形状と歯車のように嵌合する形状を形成してもよい。このような構成にすると、カバー部材８０２を閉状態としたときに、ダイアル部材８０３ａ，８０３ｂの側面とカバー部８０２ｅ，８０２ｆとが嵌合し、ダイアル部材８０３ａ，８０３ｂの回転をロックすることが可能となる。
【００３６】
カバー部材８０２は、ダイアル部材８０３ａ，８０３ｂの上面を覆わず、側面のみを覆う構成とすることで、オーディオ部２０５の高さ方向で、カバー部材８０２の肉厚分の小型化を図ることが出来る。
【００３７】
また、カバー部材８０２がダイアル部材８０３ａ，８０３ｂの上面を覆わないので、アクセサリーシュー６０１にビデオライト７００を取り付けたときにも、ビデオライト７００がカバー部材８０２の開閉を邪魔することはない。
【００３８】
図８は、オーディオ部２０５の内部の構成を説明する斜視図である。図９はオーディオ部２０５の外観斜視図である。図８に示すようにオーディオ部２０５の内部には、内蔵マイク１０３ａ，１０３ｂや外部マイク５０１から出力されるオーディオ信号を処理する回路が実装される基板１００１、１００２が配置されている。
【００３９】
本実施形態では、オーディオ関係の要素を内蔵マイク１０３ａ，１０３ｂの配置されたハンドル２０２の前方端に集約し、オーディオ関係の処理をオーディオ部２０５に配置された基板１００１、１００２で一括して行っている。これによって、オーディオ信号にさまざまな処理を行う高性能なビデオカメラの提供が可能になる。そして、マイクから入力された、アンプ前の微弱な音声データの配線長さを短くすることが出来るため、ノイズに強い高性能なビデオカメラを実現することが可能となる。
【００４０】
次にカバー部材８０２の構成について詳しく説明する。
【００４１】
図１０はカバー部材８０２の取り付け構造を説明する分解斜視図である。カバー部材８０２は閉状態であっても、各種スイッチの状態を確認することができるように、透明もしくは半透明のモールド部材で成型されている。カバー部材８０２は開閉可能かつ、取り外し容易に構成されている。
【００４２】
オーディオ部２０５のカバー部材８０２の配置される面は、図１０に示すように外側から、カバー部材８０２（閉状態）、外装部材１２０１、スライドスイッチ保持部１２０２と、スイッチ群８０１ａ，８０１ｂが重なるように配置されている。スライドスイッチ保持部１２０２は、オーディオ部２０５の側面を構成する箱状の形状で、スイッチ群８０１ａ，８０１ｂが落とし込まれる。そして、スイッチ群８０１ａ，８０１ｂの操作に連動して動作するスイッチ素子が実装された基板１００１が、スライドスイッチ保持部１２０２の裏側をふさぐように構成されている。
【００４３】
スライドスイッチ保持部１２０２には、板金部材１２０３が取り付けられている。板金部材１２０３はオーディオ部２０５のベース部材に固定される部材であるので、スライドスイッチ保持部１２０２は板金部材１２０３によってオーディオ部２０５のベース部材と一体化される。したがって、スライドスイッチ保持部１２０２とオーディオ部２０５のベース部材とを一体化させたものが本発明のベース部材として機能する。そして、スライドスイッチ保持部１２０２が本発明の第１のベース部材として機能し、オーディオ部２０５のベース部材が本発明の第２のベース部材として機能する。
【００４４】
板金部材１２０３には、板バネ部１２０３ａが形成され、カバー部材８０２を開閉する際に、板バネ部１２０３ａがカバー部材８０２にフリクションを与える。
【００４５】
カバー部材８０２は図１１に示すオーディオ部２０５の下側に形成されている軸穴Ｃを中心として、回動することが可能となっている。軸穴Ｃは、オーディオ部２０５の下側で、オーディオ部２０５の側面より内側に奥まった位置に形成されている。本実施形態では軸穴Ｃを形成するためのバルジ形状部２０５ａがオーディオ部２０５の側面より凸とならないように、軸穴Ｃの位置が決められている。なお、後述するバルジ形状部２０５ｂについても同様である。
【００４６】
図１２（ａ），（ｂ）はカバー部材８０２の形状を説明する図である。図１２（ａ）はカバー部材８０２を表側から見た斜視図であり、図１２（ｂ）はカバー部材８０２を裏側から見た斜視図である。図１３はカバー部材８０２を取り付けた状態を説明する斜視図である。図１２（ｂ）に示すように、カバー部材８０２は、回動軸側の両端にヒンジ部８０２ａ，８０２ｂが形成されている。ヒンジ部８０２ａには貫通穴８０２ａ１が形成されるとともに、板バネ部１２０３ａが当接するカム部８０２ｃが形成される。一方、ヒンジ部８０２ｂには軸８０２ｂ１が一体的に形成される。
【００４７】
カバー部材８０２の回動軸と反対側となる辺には、カバー部材８０２を閉状態としたときに、ダイアル部材８０３ａ，８０３ｂの側面を覆うカバー部８０２ｅ，８０２ｆが形成される。ヒンジ部８０２ａ，８０２ｂが形成される辺とカバー部８０２ｅ，８０２ｆが形成される辺とを結ぶ二辺にはそれぞれ、係合爪８０２ｄが形成される。図１３に示すように、係合爪８０２ｄは、カバー部材８０２を閉状態としたときに、スライドスイッチ保持部１２０２に形成した係合爪１２０２ａと係合して、カバー部材８０２を閉状態に保持する。
【００４８】
カバー部材８０２のカム部８０２ｃが板バネ部１２０３ａにチャージされることで、カバー部材８０２を開状態とするときのガタおよび閉状態とするときのガタを無くすことができる。
【００４９】
図１４（ａ）〜（ｄ）は板バネ１２０３ａとカム部８０２ｃの関係を説明する図である。図１４（ａ）はカバー部材８０２が閉状態となるときの板バネ１２０３ａとカム部８０２ｃの関係を示している。図１４（ｂ）はカバー部材８０２が９０°開状態となるときの板バネ１２０３ａとカム部８０２ｃの関係を示している。図１４（ｃ）はカバー部材８０２が開状態となるときの板バネ１２０３ａとカム部８０２ｃの関係を示している。図１４（ｄ）は、カバー部材８０２が閉状態となるときの板バネ１２０３ａの状態とカバー部材８０２が９０°開状態となるときの板バネ１２０３ａの状態とを重ねたものである。
【００５０】
図１４（ｄ）に示すように板ばね１２０３ａによるチャージ量は、閉時、開時と比較して、開閉途中に最も大きくなるように、カバー部材８０２の回転軸中心からオフセットした形状で構成されている。すなわち、カバー部材８０２は、開き始めでは閉じ方向に付勢され、中間状態付近では開き方向への付勢される。これによって、カバー部材８０２開閉動作時、カバー部材８０２が中間状態など半端な位置で止まることがなくなり、カバー部材８０２に想定していない荷重が加わることを避けることができる。
【００５１】
図１５は、外装部材１２０１を外した状態を説明する側面図である。図１５に示すように、カバー部材８０２のヒンジ部８０２ａに形成した貫通穴８０２ａ１に、金属軸で形成された軸部材としてのシャフト１７０１が挿通される。オーディオ部２０５の下側に形成されたバルジ形状部２０５ｂの内側にもシャフト１７０１が挿通される軸穴が形成され、シャフト１７０１が貫通穴８０２ａ１を貫通した後、バルジ形状部２０５ｂの軸穴に挿通される。
【００５２】
これによって、カバー部材８０２のヒンジ部８０２ａはオーディオ部２０５のベース部材に対して回動可能に取り付けられる。一方、カバー部材８０２のヒンジ部８０２に形成される軸８０２ｂ１はオーディオ部２０５のバルジ形状部２０５ａの内側に形成される軸穴Ｃ（図１１参照）に挿通される。これによって、カバー部材８０２のヒンジ部８０２ｂはオーディオ部２０５のベース部材に対して回動可能に取り付けられる。
【００５３】
図１６はシャフト１７０１の外観を説明する斜視図である。図１６に示すように、シャフト１７０１は、軸部１７０１ａと、軸部１７０１ａと直交する方向に折り曲げられる固定部１７０１ｂが組み合わされた、Ｌ字状の形状となっている。軸部１７０１ａは、カバー部材８０２の貫通穴８０２ａ１を貫通した後、バルジ形状部２０５ｂの軸穴に挿通されることで、カバー部材８０２の回転軸となる。固定部１７０１ｂは、スライドスイッチ保持部１２０２に設けられた凹部１２０２ｂに埋め込まれた状態で収納される。したがって、シャフト１７０１は、スライドスイッチ保持部１２０２によって固定される。また、シャフト１７０１固定の凹部１２０２ｂには、シャフト１７０１の取り外し用の溝部１２０２ｃが隣接して設けられている。
【００５４】
スライドスイッチ保持部１２０２の操作面側で、カバー部材８０２開状態で露出する面には、外装部材１２０１が配置される。図１７は、外装部材１２０１とクッション部材１９０１の取り付け構造を説明する分解図である。図１７では、便宜上、カバー部材８０２を表示していない。外装部材１２０１は、導電性を有する樹脂材料で成型されており、図１７に示すように、外装部材１２０１の下側に形成された引っ掛け部１２０１ａにて、オーディオ部２０５下部の凸形状２０５ｄに引っ掛け、ビス１９０２で外装部材１２０１上側を固定する。ビス１９０２は導電性を有し、外装部材１２０１がビス１９０２でスライドスイッチ保持部１２０２に固定されることで、ビス１９０２がオーディオ部２０５内部のグランドラインと電気的に接続される。これによって、外装部材１２０１は、グランドラインと電気的に接続される。
【００５５】
外装部材１２０１が導電性を有することで、外部からの電磁誘導ノイズからのシールドを行っている。また、外装部材１２０１が凹部１２０２ｂに収納されたシャフト１７０１と接触することで、シャフト１７０１をオーディオ部２０５内部のグランドラインと電気的に接続することができる。
【００５６】
オーディオ部２０５の下面には、第１の弾性部材であるクッション１９０１が配置されている。クッション部材１９０１は、オーディオ部２０５の下面に両面テープで仮固定され、外装部材１２０１の下側に形成された引っ掛け形状の一部と、オーディオ部２０５の下面で挟み込まれることで固定されている。このとき、クッション部材１９０１が外装部材１２０１をチャージする設定とすることで、外装部材１２０１が１本のビス１９０２で固定されていることによって発生するガタを抑制している。
【００５７】
また、クッション部材１９０１はオーディオ部２０５の下面に形成される凹部２０５ｅに配置されており、クッション部材１９０１の外形が図１８に示すようにオーディオ部２０５の底面から突出しないようにしている。これによって撮影者が意図せずクッションに触れてしまうことによる、クッション部材１９０１の剥がれや、クッション部材１９０１が見えてしまうことによるデザイン性の低下を避けている。
【００５８】
次に本実施例のカバー部材８０２の開動作について図１８と、図１９を用いて説明する。図１８（ａ）および図１９（ａ）は、それぞれカバー部材８０２の状態を説明するためにビデオカメラを正面から見た図である。そして、図１８（ｂ）および図１９（ｂ）は、図１８（ａ）および図１９（ａ）にてＡで示す部分の断面をそれぞれ表わしており、特にクッション部材１９０１の状態とカバー部材８０２の位置に注目したものである。
【００５９】
閉状態にあるカバー部材８０２を開く方向に回動させると、カバー部材８０２の回動中心に近い一方端がオーディオ部２０５の下面に貼着されたクッション部材１９０１に当接して停止する。（図１８の状態）。この状態で、カバー部材８０２の回動中心から遠い他方端は、オーディオ部２０５の下面に配置されている、回転操作リング１０２の表面の弾性部材１０２ａに当接しない。これによって、回転操作リング１０２を操作する際に、カバー部材８０２が邪魔になることはない。
【００６０】
図１８に示す開状態となるカバー部材８０２に対して、さらに開方向の力を与えると、カバー部材８０２の一方端がクッション部材１９０１を弾性変形させて、カバー部材８０２をさらに開くことができる。その結果、図１９に示すように、カバー部材８０２の他方端は、回転操作リング１０２の表面の弾性部材１０２ａに当接して、これ以上の回動が阻止される。すなわち、弾性部材１０２ａが本発明の第２の弾性部材として機能する。これによって、開状態となるカバー部材８０２に、開方向の力が加わったとしても、カバー部材８０２が破壊してしまうことを防止することができる。また、弾性変形する弾性部材でカバー部材８０２を受けることによって、透明もしくは半透明な部材で成型され、キズが目立ちやすいカバー部材８０２のキズ付きを防止することもできる。
【００６１】
本実施形態のビデオカメラは、カバー部材８０２を破損させた場合であっても、比較的簡単にカバー部材８０２を交換することができるように構成されている。図２０および図２１はカバー部材８０２を交換する際の手順を説明する図である。
【００６２】
カバー部材８０２を取り外す際には、ます、図２０（ａ）に示すように、カバー部材８０２を開状態とした後、外装部材１２０１をスライドスイッチ保持部１２０２に固定しているビス１９０２を取り外す。その後、図２０（ｂ）に示すように、外装部材１２０１をスライドスイッチ保持部１２０２に対して回動させて、外装部材１２０１の引っ掛け部１２０１ａとオーディオ部２０５下部の凸形状２０５ｄとの引っ掛かりを解除する。外装部材１２０１を取り外すと、図２０（ｃ）に示す状態となり、凹部１２０２ｂに収納されたシャフト１７０１が露出する。
【００６３】
シャフト１７０１の取り外し用の溝部１２０２ｃに工具を挿入して、シャフト１７０１の軸部１７０１ａを中心に回転させて、図２１（ａ）に示すように、シャフト１７０１の固定部１７０１ｂを凹部１２０２ｂから取り出す。シャフト１７０１の固定部１７０１ｂをつまみ、シャフト１７０１をビデオカメラの前方に引き抜くことで、図２１（ｂ）に示すように、シャフト１７０１の軸部１７０１ａは貫通穴８０２ａ１およびバルジ形状部２０５ｂの軸穴から抜去される。
【００６４】
シャフト１７０１が取り外されると、図２１（ｃ）に示すように、カバー部材８０２のヒンジ部８０２ｂを中心として、カバー部材８０２を回動させることで、カバー部材８０２を取り外すことができる。
【００６５】
なお、カバー部材８０２を取り付ける際には、上述した手順を逆に進めればよい。
【００６６】
以上、本発明の好ましい実施形態について説明したが、本発明はこれらの実施形態に限定されず、その要旨の範囲内で種々の変形及び変更が可能である。
【符号の説明】
【００６７】
１０２  回転操作リング
１０３ａ，１０３ｂ  内蔵マイク
１０４ａ，１０４ｂ  外部接続コネクタ
２０２  ハンドル
２０５  オーディオ部
８０１ａ，８０１ｂ  スイッチ群
８０２  カバー部材
８０３ａ，８０３ｂ  ダイアル部材
１２０１  外装部材
１２０２  スライドスイッチ保持部
１７０１  シャフト
【図１】
0005570346.tif 000002
【図２】
0005570346.tif 000003
【図３】
0005570346.tif 000004
【図４】
0005570346.tif 000005
【図５】
0005570346.tif 000006
【図６】
0005570346.tif 000007
【図７】
0005570346.tif 000008
【図８】
0005570346.tif 000009
【図９】
0005570346.tif 000010
【図１０】
0005570346.tif 000011
【図１１】
0005570346.tif 000012
【図１２】
0005570346.tif 000013
【図１３】
0005570346.tif 000014
【図１４】
0005570346.tif 000015
【図１５】
0005570346.tif 000016
【図１６】
0005570346.tif 000017
【図１７】
0005570346.tif 000018
【図１８】
0005570346.tif 000019
【図１９】
0005570346.tif 000020
【図２０】
0005570346.tif 000021
【図２１】
0005570346.tif 000022